(57)【要約】【課題】  レセプタクルを安定して筐体に固定すると共に、電磁遮蔽を確実に行う光通信用モジュール及びその製造方法を提供する。【解決手段】  光素子を内部に備え、つば部１６を有するレセプタクル１０（１１）と、レセプタクル１０（１１）が搭載され、つば部１６よりも小さい径を有する光導出孔２１（光導入孔２２）が設けられてなる筐体２０と、レセプタクル１０（１１）が挿入されると共に、つば部１６よりも小さい開口を有し、つば部を筐体に対して押圧する冶具１２（１３）とを有し、つば部１６は、押圧によって光導出孔２１（光導入孔２２）を塞ぐ構成としている。  従って、レセプタクル１０（１１）を安定して筐体に固定することができると共に、筐体に搭載される光ファイバのコネクタ部から発生する高周波信号が漏れるのを防止することができる。【選択図】        図２
2011145692.tif 000002
【特許請求の範囲】
【請求項１】
光素子を内部に備え、つば部を有するレセプタクルと、
前記レセプタクルが搭載され、前記つば部よりも小さい径を有する孔が設けられてなる筐体と、
前記レセプタクルが挿入されると共に、前記つば部よりも小さい開口を有し、前記つば部を前記筐体に対して押圧する冶具と、
を有し、
前記つば部は、前記押圧によって前記孔を塞ぐことを特徴とする光通信用モジュール。
【請求項２】
前記冶具は、バネ性を有し、前記レセプタクルを応力によって押圧することを特徴とする請求項１記載の光通信用モジュール。
【請求項３】
前記冶具は、前記レセプタクルに当接する第１冶具と、前記第１冶具を前記筐体の方向に押圧する第２冶具と、を有することを特徴とする請求項１又は２記載の光通信用モジュール。
【請求項４】
前記筐体は、前記第２冶具を前記筐体に固定するための溝を有することを特徴とする請求項３記載の光通信用モジュール。
【請求項５】
光素子を内部に備え、つば部を有するレセプタクルを冶具の前記つば部よりも小さい開口に挿入するステップと、
筐体に対して前記冶具を挿入することで、前記レセプタクルのつば部を前記筐体の孔に対して押圧することにより、前記開口を塞ぐステップと、
を有することを特徴とする光通信用モジュールの製造方法。
【請求項６】
光素子を内部に備え、つば部を有するレセプタクルを第１冶具の前記つば部よりも小さい開口に挿入するステップと、
筐体に対して、前記第１冶具を挿入するステップと、
前記第１冶具を前記筐体に対して押圧する第２冶具を挿入することで、前記レセプタクルのつば部を前記筐体の孔に対して押圧することにより、前記開口を塞ぐステップと、
を有することを特徴とする光通信用モジュールの製造方法。
【請求項７】
前記第２冶具は、前記筐体に設けた溝に嵌合させて、前記筐体に取り付けることを特徴とする請求項６記載の光通信用モジュールの製造方法。
【発明の詳細な説明】
【技術分野】
【０００１】
本発明は、光通信に使用する光送受信モジュールに関する。特に、光ファイバと受・発光素子との間で光信号を光学的に接続するためのレセプタクルの固定方法に関する。
【背景技術】
【０００２】
小型化を指向してきた光通信装置の分野では、通信装置をモジュール化して、ケージ等に着脱自在となるように構成している。例えば、半導体レーザーやフォトダイオード等の受発光素子をケース内に収納し、このケースを光ファイバの端面に対向して設け、光信号を光ファイバの端面に入射または出射して、光ファイバを通じて光信号を導入又は導出するレセプタクルが提案されている。
【０００３】
また、さらなる小型化のため、１つの筐体内に少なくとも光送信モジュール及び光受信モジュールを収容することにより、光通信の１チャンネル分を１つのユニットとして提供するものも提案されている。
【０００４】
このような光通信モジュールの信頼性を高めるためには、光学的接続部での安定した接続や、光学的接続部で不必要な高周波信号がモジュールの外部に漏れないように遮蔽することが重要な課題となる。
【０００５】
特許文献１に開示の光モジュールは、図１に示すようにレセプタクルを上下方向から挟み込む固定冶具を設けて、この固定冶具をゲージに固定していた。
【先行技術文献】
【特許文献】
【０００６】
【特許文献１】特開２００５−２４９８９２号公報
【発明の概要】
【発明が解決しようとする課題】
【０００７】
しかしながら、特許文献１の固定方法は、ゲージにレセプタクルを固定しているだけの構成であって、レセプタクルと光ファイバコネクタ部との連結部分から高周波信号が漏れてしまう。
【０００８】
また、接着剤によってレセプタクルを筐体に固定する方法も取られているが、光ファイバや発光、受光素子の光軸を合わせながらの固定となるため、組み立て作業の効率が悪く、取り付けや取り外しが簡単にはできないという問題があった。
【０００９】
本発明は上記事情に鑑みてなされたものであり、レセプタクルを安定して筐体に固定すると共に、高周波信号の遮蔽を確実に行う光通信用モジュール及びその製造方法を提供することを目的とする。
【課題を解決するための手段】
【００１０】
かかる目的を達成するために本発明の光通信用モジュールは、光素子を内部に備え、つば部を有するレセプタクルと、前記レセプタクルが搭載され、前記つば部よりも小さい径を有する孔が設けられてなる筐体と、前記レセプタクルが挿入されると共に、前記つば部よりも小さい開口を有し、前記つば部を前記筐体に対して押圧する冶具と、を有し、前記つば部は、前記押圧によって前記孔を塞ぐ構成としている。
このように本発明は、つば部を有するレセプタクルを筐体に搭載し、このつば部を筐体に対して冶具で押圧することで、レセプタクルを安定して筐体に固定することができると共に、筐体に搭載される光ファイバのコネクタ部から発生する高周波信号が漏れるのを防止することができる。また、筐体に搭載される光ファイバから発生する高周波信号が孔から漏れるのを確実に防ぐことができる。
【００１１】
上記構成の光通信用モジュールにおいて、前記冶具は、バネ性を有し、前記レセプタクルを応力によって押圧するとよい。また、前記冶具は、前記レセプタクルに当接する第１冶具と、前記第１冶具を前記筐体の方向に押圧する第２冶具と、を有しているとよい。
バネ性を有する部材で部材公差を吸収することで、筐体に隙間なく押圧することができる。
【００１２】
上記構成の光通信用モジュールにおいて、前記筐体は、前記第２冶具を前記筐体に固定するための溝を有しているとよい。
従って、第２冶具を筐体に簡単に固定することができる。
【００１３】
本発明の光通信用モジュールの製造方法は、光素子を内部に備え、つば部を有するレセプタクルを冶具の前記つば部よりも小さい開口に挿入するステップと、筐体に対して前記冶具を挿入することで、前記レセプタクルのつば部を前記筐体の孔に対して押圧することにより、前記開口を塞ぐステップとを有している。
【００１４】
本発明の光通信用モジュールの製造方法は、光素子を内部に備え、つば部を有するレセプタクルを第１冶具の前記つば部よりも小さい開口に挿入するステップと、筐体に対して、前記第１冶具を挿入するステップと、前記第１冶具を前記筐体に対して押圧する第２冶具を挿入することで、前記レセプタクルのつば部を前記筐体の孔に対して押圧することにより、前記開口を塞ぐステップとを有している。また、前記第２冶具は、前記筐体に設けた溝に嵌合させて、前記筐体に取り付けられるとよい。
【発明の効果】
【００１５】
本発明によれば、レセプタクルを安定して筐体に固定すると共に、高周波信号の遮蔽を確実に行うことができる。
【図面の簡単な説明】
【００１６】
【図１】従来のレセプタクルの固定方法を説明するための図である。
【図２】光通信モジュールの全体構成を示す図であり、レセプタクルとプリント基板を筐体から取り外した状態を示す図である。
【図３】光通信モジュールの上面図である。
【図４】レセプタクルの外観形状を示す図である。
【図５】連結冶具の形状を示す図である。
【図６】連結冶具と固定冶具とによってレセプタクルを光軸方向に押圧している状態を示す図である。
【図７】固定冶具の形状を示す図である。
【図８】ネジでレセプタクルを筐体に固定する様子を示す図である。
【図９】製造手順を示すフローチャートである。
【発明を実施するための形態】
【００１７】
添付図面を参照しながら本発明の好適な実施例を説明する。
【実施例】
【００１８】
まず、図２、図３を参照しながら光通信モジュールの全体構成を説明する。図２には、各部材を筐体２０から取り外した分解斜視図を示し、図３には、光通信モジュールの上面図を示す。
光通信モジュール１は、１つの筐体２０にレセプタクル１０、１１と、光送信モジュール及び光受信モジュールの制御回路を実装したプリント基板１４とを搭載した構成である。光送信モジュールと光受信モジュールとはレセプタクル１０、１１内にそれぞれ設けられている。
プリント基板１４上の制御回路と、レセプタクル１０、１１とはリード配線によって電気的に接続されている。プリント基板１４上にはコネクタ部１５が形成されており、マザーボードとの通信を取ることができる。また、プリント基板１４上には、マザーボードからプリント基板１４に電源を供給したり、両者間で信号のやりとりを行うための配線が設けられている。
【００１９】
レセプタクル１０、１１内には、スリーブ、ファイバが収容されたフェルール、レンズ、光素子（発光素子又は受光素子）、ホルダ等で構成された光送信ユニットと光受信ユニットとがそれぞれ形成されている。
また、レセプタクル１０、１１には、図４に示すようにレセプタクル１０、１１本体の径よりも径が大きくなるように取り付けられたつば部１６が設けられている。このつば部１６を後述する冶具１２、１３によって筐体２０に押し付けることで、レセプタクル１０、１１と、光ファイバコネクタ部との接合部で発生する高周波信号がプリント基板１４側に漏れるのを防止している。
【００２０】
筐体２０には、図２に示すように送信用のレセプタクル１０が差し込まれる光導出孔２１と、受信用のレセプタクル１１が差し込まれる光導入孔２２とが設けられている。送信用と受信用のレセプタクル１０、１１は、これらの孔２１、２２に挿入され、冶具１２、１３によって光軸方向に押圧される。筐体２０には、この光導出孔２１、光導入孔２２以外に穴や隙間のない構成を取っている。
冶具１２、１３は、レセプタクル１０、１１を筐体２０に固定する連結冶具１２と、この連結冶具１２と連結冶具１２に固定されたレセプタクル１０、１１とを光導入孔２１、光導出孔２２方向に押圧する固定冶具１３とを備えている。
【００２１】
また、筐体２０には、光ファイバのコネクタ部が装着される光インターフェース部３０が設けられている。光インターフェース部３０にコネクタ部を装着して、レクプタクル１０、１１の光素子と光学的に接続する。
【００２２】
連結冶具１２は、図５に示すように連結冶具１２の対向する２辺に切欠を設けた構成であり、この切欠部分に送信用と受信用のレセプタクル１０、１１が嵌め入れられる。連結冶具１２は、バネ性を備えており、筐体２０に固定することでレセプタクル１０、１１を光軸方向に付勢する。レセプタクル１０、１１のつば部１６に連結冶具１２が当接し、レセプタクル１０、１１を光軸方向に押圧する。本実施例の連結冶具１２は、両端を切り欠いて中央部分の冶具を残した形状であって、全体に平均しして応力がかかるように構成している。連結冶具１２は、金属（ステンレスなど）やプラスチック等の硬く、加工しやすい材料のものが使用される。
【００２３】
固定冶具１３は、図６に示すように連結冶具１２の両端部で連結冶具１２に接続し、連結冶具１２とレセプタクル１０（１１）とを光軸方向に押圧する。固定冶具１３もバネ性を備えるステンレスやリン青銅などの金属や、プラスチック材料からなる。筐体２０には、溝が設けられており、この溝に固定冶具１３を嵌合させて筐体２０に固定する。また、固定冶具１３と筐体２０とは、くさびを打って固定してもよい。固定冶具１３の形状としては、図７に示す（Ａ）、（Ｂ）、（Ｃ）ものを挙げることができるが、バネ性を有するものであれば形状は特に限定しない。
【００２４】
このように本実施例は、つば部１６付きのレセプタクル１０、１１を設けて、連結冶具１２と固定冶具１３とで、レセプタクル１０、１１を光軸方向に押圧して固定する。筐体２０に設けた光導出孔２１と光導入孔２２とをつば部１６でしっかりと押圧しているので、光インターフェース部３０側で生じる高周波信号がプリント基板側に漏れることがなくなる。また、プリント基板１４側で発生した高周波信号が筐体の外に漏れることがなくなる。なお、筐体２０へのレセプタクル１０、１１の固定は、図８に示すようにネジ溝を設けて固定するものであってもよい。
【００２５】
図９に示すフローチャートを参照しながら光通信モジュールの製造手順を説明する。
まず、プリント基板１４とレセプタクル１０、１１とを連結し、連結冶具１２の切欠部分に、レセプタクル１０、１１を嵌め入れる（ステップＳ１）。
次に、レセプタクル１０、１１の先端部分を光導出孔２１と光導入孔２２とに挿入する。このとき、レセプタクル１０、１１のつば部１６が連結冶具１２よりも光導入孔２１、光導出孔２２側に来るように配置する（ステップＳ２）。
次に、連結冶具１２に固定冶具１３を固定する。固定冶具１３は、図６に示すように連結冶具１２の両端部であって、さらに連結冶具１２を挟んでつば部１６とは反対側に取り付ける。固定冶具１３は、筐体２０に設けた溝にはめ込み固定する（ステップＳ３）。
【００２６】
上述した実施例は本発明の好適な実施例である。但し、これに限定されるものではなく、本発明の要旨を逸脱しない範囲内において種々変形実施可能である。
【符号の説明】
【００２７】
１  光通信モジュール
１０、１１  レセプタクル
１２  連結冶具
１３  固定冶具
１４  プリント基板
１６  つば部
２０  筐体
３０  インターフェース部
【図１】
2011145692.tif 000003
【図２】
2011145692.tif 000004
【図３】
2011145692.tif 000005
【図４】
2011145692.tif 000006
【図５】
2011145692.tif 000007
【図６】
2011145692.tif 000008
【図７】
2011145692.tif 000009
【図８】
2011145692.tif 000010
【図９】
2011145692.tif 000011